(57)【要約】  【課題】仕切板同士が連結される部分における外観を良好なものにできるーティションにおける仕切板の連結構造を提供することができる。  【解決手段】板状をなし空間を仕切る一方の仕切板及び他方の仕切板を、ジョイント材を介して連結するようにしたパーティションにおける仕切板の連結構造である。ジョイント材は、前記一方の仕切板の端面に接着手段を介して接続する内面を有した第一ベースと、この第一ベースの一側端部から前記一方の仕切板に沿うように連設された第二ベースとを備えてなり、前記第二ベースが、前記一方の仕切板の反対側を向き前記他方の仕切板の端面に接着手段を介して接続する外接続面を備えているものとした。【選択図】図２
2018178550.tif 000002
【特許請求の範囲】
【請求項１】
板状をなし空間を仕切る一方の仕切板及び他方の仕切板を、ジョイント材を介して連結するようにしたパーティションにおける仕切板の連結構造であって、
前記ジョイント材が、前記一方の仕切板の端面に接着手段を介して接続する内面を有した第一ベースと、この第一ベースの一側端部から前記一方の仕切板に沿うように連設された第二ベースとを備えてなり、
前記第二ベースが、前記一方の仕切板の反対側を向き前記他方の仕切板の端面に接着手段を介して接続する外接続面を備えているパーティションにおける仕切板の連結構造。
【請求項２】
前記第二ベースが、前記一方の仕切板側を向く内添接面を備えており、この内添接面が接着手段を介在させることなく前記一方の仕切板の表面に添接する請求項１記載のパーティションにおける仕切板の連結構造。
【請求項３】
前記第一ベースにおける他側端部に前記一方の仕切板側に向かって突出する突部が形成されている請求項１又は２記載のパーティションにおける仕切板の連結構造。
【請求項４】
前記第二ベースにおける両側端部に前記他方の仕切板側に向かって突出する突部が形成されている請求項１、２又は３記載のパーティションにおける仕切板の連結構造。
【請求項５】
前記ジョイント材が、横断面視において略Ｌ字状をなしている請求項１、２、３又は４記載のパーティションにおける仕切板の連結構造。
【請求項６】
前記一方の仕切板が、前記他方の仕切板に対して略直交する姿勢を採るものであり、前記他方の仕切板における長手方向に沿った仮想延長線上に前記一方の仕切板の側端部が位置するように、前記一方の仕切板及び他方の仕切板の位置関係が設定されている請求項１、２、３、４又は５記載のパーティションにおける仕切板の連結構造。
【請求項７】
前記一方の仕切板及び前記他方の仕切板が合わせガラスである請求項１、２、３、４、５又は６記載のパーティションにおける仕切板の連結構造。
【請求項８】
前記一方の仕切板が所定の間隔をあけて略平行に二枚配設されており、
前記他方の仕切板が所定の間隔をあけて略平行に二枚配設されている請求項１記載のパーティションにおける仕切板の連結構造。
【請求項９】
板状をなし空間を仕切る一方の仕切板及び他方の仕切板を連結するジョイント材であって、
前記ジョイント材が、前記一方の仕切板の端面と接着手段を介して接続する内面を有した第一ベースと、この第一ベースの一側端部から前記一方の仕切板に沿うように連設された第二ベースとを備えてなり、
前記第二ベースが、前記一方の仕切板の反対側を向き前記他方の仕切板の端面と接着手段を介して接続する外接続面を備えているジョイント材。
【発明の詳細な説明】
【技術分野】
【０００１】
本発明は、オフィス等の空間を仕切るためのパーティションに関する。
【背景技術】
【０００２】
会議室や執務室等を構築し得るパーティションにおいては、空間を仕切るための二枚のガラス板の端縁同士を連結するために、目地具を介在させている（例えば、特許文献１を参照）。
【０００３】
従来の目地具は、直交する位置関係をなす二枚のガラス板の端縁同士を連結する場合、左右方向の幅寸法がガラス板の厚み寸法と略同じか又はそれよりも若干長い寸法に設定されていた。換言すれば、従来のこの種の目地具は、横断面視において略正方形の形状をなしていた。
【０００４】
ところが、このようなものであると、目地具をどの方向から見ても、ガラス板の厚み寸法と略同じか又はそれより若干長い寸法の外形が視認されてしまうものとなり、外観を損ねる一因となっていた。
【０００５】
なお、以上の事情は、ガラス板を適用したパーティションに限られるものではなく、種々の仕切板の端部同士を連結する場合においても同様である。
【先行技術文献】
【特許文献】
【０００６】
【特許文献１】特開２００８−１４４５７８号公報
【発明の概要】
【発明が解決しようとする課題】
【０００７】
本発明は、以上のような事情に着目してなされたもので、少なくとも、仕切板同士が連結される部分における外観を良好なものにできるパーティションにおける仕切板の連結構造を提供することにある。
【課題を解決するための手段】
【０００８】
すなわち、本発明は次の構成をなしている。
【０００９】
請求項１に記載の発明は、板状をなし空間を仕切る一方の仕切板及び他方の仕切板を、ジョイント材を介して連結するようにしたパーティションにおける仕切板の連結構造であって、前記ジョイント材が、前記一方の仕切板の端面に接着手段を介して接続する内面を有した第一ベースと、この第一ベースの一側端部から前記一方の仕切板に沿うように連設された第二ベースとを備えてなり、前記第二ベースが、前記一方の仕切板の反対側を向き前記他方の仕切板の端面に接着手段を介して接続する外接続面を備えているパーティションにおける仕切板の連結構造である。
【００１０】
請求項２に記載の発明は、前記第二ベースが、前記一方の仕切板側を向く内添接面を備えており、この内添接面が接着手段を介在させることなく前記一方の仕切板の表面に添接する請求項１記載のパーティションにおける仕切板の連結構造である。
【００１１】
請求項３に記載の発明は、前記第一ベースにおける他側端部に前記一方の仕切板側に向かって突出する突部が形成されている請求項１又は２記載のパーティションにおける仕切板の連結構造である。
【００１２】
請求項４に記載の発明は、前記第二ベースにおける両側端部に前記他方の仕切板側に向かって突出する突部が形成されている請求項１、２又は３記載のパーティションにおける仕切板の連結構造である。
【００１３】
請求項５に記載の発明は、前記ジョイント材が、横断面視において略Ｌ字状をなしている請求項１、２、３又は４記載のパーティションにおける仕切板の連結構造である。
【００１４】
請求項６に記載の発明は、前記一方の仕切板が、前記他方の仕切板に対して略直交する姿勢を採るものであり、前記他方の仕切板における長手方向に沿った仮想延長線上に前記一方の仕切板の側端部が位置するように、前記一方の仕切板及び他方の仕切板の位置関係が設定されている請求項１、２、３、４又は５記載のパーティションにおける仕切板の連結構造である。
【００１５】
請求項７に記載の発明は、前記一方の仕切板及び前記他方の仕切板が合わせガラスである請求項１、２、３、４、５又は６記載のパーティションにおける仕切板の連結構造である。
【００１６】
請求項８に記載の発明は、前記一方の仕切板が所定の間隔をあけて略平行に二枚配設されており、前記他方の仕切板が所定の間隔をあけて略平行に二枚配設されている請求項１記載のパーティションにおける仕切板の連結構造である。
【００１７】
請求項９に記載の発明は、板状をなし空間を仕切る一方の仕切板及び他方の仕切板を連結するジョイント材であって、前記ジョイント材が、前記一方の仕切板の端面と接着手段を介して接続する内面を有した第一ベースと、この第一ベースの一側端部から前記一方の仕切板に沿うように連設された第二ベースとを備えてなり、前記第二ベースが、前記一方の仕切板の反対側を向き前記他方の仕切板の端面と接着手段を介して接続する外接続面を備えているジョイント材である。
【発明の効果】
【００１８】
以上説明したように本発明によれば、少なくとも、仕切板同士が連結される部分における外観を良好なものにできるパーティションにおける仕切板の連結構造を提供することができる。
【図面の簡単な説明】
【００１９】
【図１】本発明の一実施形態を示す斜視図。
【図２】同実施形態における部分拡大斜視図。
【図３】図２におけるＸ矢視図。
【図４】図２におけるＹ矢視図。
【図５】同実施形態における部分拡大横断面図。
【図６】同実施形態における分解斜視図。
【図７】他の実施形態を示す部分拡大横断面図。
【図８】他の実施形態を示す部分拡大横断面図。
【図９】他の実施形態を示す部分拡大横断面図。
【図１０】他の実施形態を示す部分拡大横断面図。
【図１１】他の実施形態を示す部分拡大横断面図。
【発明を実施するための形態】
【００２０】
以下、本発明の一実施形態を、図１〜６を参照して説明する。
【００２１】
この実施形態は、本発明を、オフィスにおいて執務室や会議室等の仕切られた空間を形成し得るパーティションＰに適用したものである。
【００２２】
パーティションＰは、板状をなし空間を仕切る一方の仕切板Ａと、板状をなし空間を仕切る他方の仕切板Ｂと、これら一方の仕切板Ａの側端部と他方の仕切板Ｂの側端部との間に介設されたジョイント材Ｊとを備えたものである。そして、パーティションＰは、床面Ｆに対して起立する一方の仕切板Ａの側端部が接着手段である両面テープＴを介してジョイント材Ｊに接続しており、床面Ｆに対して起立する他方の仕切板Ｂの側端部が接着手段である両面テープＴを介してジョイント材Ｊに接続している。
【００２３】
換言すれば、この実施形態に示されたパーティションＰにおける仕切板の連結構造は、板状をなし空間を仕切る一方の仕切板Ａ及び他方の仕切板Ｂを、ジョイント材Ｊを介して連結するようにしたものである。
【００２４】
以下、パーティションＰ、及び、パーティションＰにおける仕切板の連結構造について説明する。
【００２５】
一方の仕切板Ａは、合わせガラスである。すなわち、一方の仕切板Ａは、図２、図５、及び、図６に示すように、略同じ厚みに形成された二枚のガラス板材ａを有している。そして、これら二枚のガラス板材ａ同士が、接着材料である接着フィルムｆを介して接着されており、一方の仕切板Ａとして一体化されている。一方の仕切板Ａは、全体として矩形板状をなしている。この実施形態では、図１に示すように、一方の仕切板Ａの上下寸法は、設置される場所における床面Ｆと天井面Ｃとの間の寸法よりも若干短い寸法に設定されている。一方の仕切板Ａにおける下端縁はベース材Ｄを介して床面Ｆに支持されており、一方の仕切板Ａにおける上端縁はベース材Ｅを介して天井面Ｃに保持されている。一方の仕切板Ａの側端縁には糸面加工が施されている。換言すれば、一方の仕切板Ａの側端縁には、対をなす糸面ｍが形成されている。
【００２６】
他方の仕切板Ｂは、上述した一方の仕切板Ａと同一の構成を有したものである。つまり、他方の仕切板Ｂは、合わせガラスである。すなわち、他方の仕切板Ｂは、図２、図５、及び、図６に示すように、略同じ厚みに形成された二枚のガラス板材ｂを有している。そして、これら二枚のガラス板材ｂ同士が、接着材料である接着フィルムｆを介して接着されており、他方の仕切板Ｂとして一体化されている。他方の仕切板Ｂは、全体として矩形板状をなしている。この実施形態では、図１に示すように、他方の仕切板Ｂの上下寸法は、設置される場所における床面Ｆと天井面Ｃとの間の寸法よりも若干短い寸法に設定されている。他方の仕切板Ｂにおける下端縁はベース材Ｄを介して床面Ｆに支持されており、他方の仕切板Ｂにおける上端縁はベース材Ｅを介して天井面Ｃに保持されている。他方の仕切板Ｂの側端縁には糸面加工が施されている。換言すれば、他方の仕切板Ｂの側端縁には、対をなす糸面ｍが形成されている。
【００２７】
なお、一方の仕切板Ａや他方の仕切板Ｂは、透明なものであってもよいし、透明でないものであってもよい。材質も適宜のものを適用することができる。なお、「透明」とは、狭義の無色透明だけでなく有色透明をも含む概念である。
【００２８】
ジョイント材Ｊは、一方の仕切板Ａ及び他方の仕切板Ｂを連結するものである。ジョイント材Ｊは、図５に示すように、横断面視において略Ｌ字状をなしている。
【００２９】
ジョイント材Ｊは、図２、図５、及び、図６に示すように、一方の仕切板Ａの端面ｅａと接着手段である両面テープＴを介して接続する内面１１を有した第一ベース１と、この第一ベース１の一側端部から一方の仕切板Ａに沿うように連設された第二ベース２とを備えてなるものである。ジョイント材Ｊは、金属製のもの又は合成樹脂製のものであり、第一ベース１と第二ベース２は一体に形成されている。
【００３０】
第一ベース１は、一方の仕切板Ａの端面ｅａに沿うように上下方向に延びてなる板状のものである。第一ベース１の内面１１は、両面テープＴが止着しやすい平らな形態をなっている。第一ベース１の外面１２は、第一ベース１の内面１１と略平行に設定されている。第一ベース１の外面１２は、外部に露出する露出面を構成している。第一ベース１における他側端部には、一方の仕切板Ａ側に向かって突出する突部１ｔが形成されている。この突部１ｔは、両面テープＴを外部から見えにくくする役割を担うだけでなく、第一ベース１における内面１１の適切な位置に両面テープＴを貼り設けるための目印としての役割も担っている。また、突部１ｔは、一方の仕切板Ａの側端部の破損を抑制する役割も担っている。
【００３１】
第二ベース２は、第一ベース１における他方の仕切板Ｂ寄りに位置する一側端部から一方の仕切板Ａにおける水平の長手方向に沿うように設けられている。第二ベース２は、他方の仕切板Ｂの端面ｅｂに沿うように上下方向に延びてなる板状のものである。第二ベース２は一方の仕切板Ａ側を向く内添接面２１を備えている。第二ベース２は、内添接面２１の反対側を向く外接続面２２を備えている。内添接面２１と外接続面２２とは略平行に設定されている。
【００３２】
第二ベース２の内添接面２１は、両面テープＴを介在させることなく一方の仕切板Ａの表面である内表面ａ１に添接するように設定されている。このように構成した理由は、一方の仕切板Ａが透明な場合に例えば両面テープ等を介在させて当該一方の仕切板Ａの内表面ａ１と第二ベース２の内添接面２１とを接続すると、両面テープ等と一方の仕切板Ａとの間に気泡が入り込み、外観を損ねてしまうことがあるため、かかる不具合を回避するためである。
【００３３】
第二ベース２の外接続面２２は、一方の仕切板Ａの反対側を向き他方の仕切板Ｂの端面と接着手段である両面テープＴを介して接続するものである。第二ベース２の外接続面２２は、両面テープＴが止着しやすい平らな形態をなしている。
【００３４】
第二ベース２における両側端部には、他方の仕切板Ｂ側に向かって突出する突部２ｔが形成されている。この突部２ｔは、両面テープＴを外部から見えにくくする役割を担うだけでなく、第二ベース２における外接続面２２の適切な位置に両面テープＴを貼り設けるための目印としての役割も担っている。また、突部２ｔは、他方の仕切板Ｂの側端部の破損を抑制する役割も担っている。
【００３５】
以上に述べたパーティションＰ、及び、パーティションＰの連結構造においては、一方の仕切板Ａが、他方の仕切板Ｂに対して略直交する姿勢を採るものとなっている。さらに、図２、及び、図５に示すように、他方の仕切板Ｂにおける水平の長手方向に沿った仮想延長線ｋ（他方の仕切板Ｂにおける中心線の仮想延長線ｋ）上に一方の仕切板Ａの側端部が位置するように、一方の仕切板Ａ及び他方の仕切板Ｂの位置関係が設定されている。換言すれば、この実施形態におけるパーティションＰ、及び、パーティションＰの連結構造においては、一方の仕切板Ａと他方の仕切板Ｂとがいわゆる勝ち負けの関係をなすように配設されている。
【００３６】
以上説明したように、本実施形態に係るパーティションＰにおける仕切板の連結構造は、板状をなし空間を仕切る一方の仕切板Ａ及び他方の仕切板Ｂを、ジョイント材Ｊを介して連結するようにしたものである。そして、ジョイント材Ｊが、一方の仕切板Ａの端面ｅａに接着手段である両面テープＴを介して接続する内面１１を有した第一ベース１と、この第一ベース１の一側端部から一方の仕切板Ａに沿うように連設された第二ベース２とを備えてなり、第二ベース２が、一方の仕切板Ａの反対側を向き他方の仕切板Ｂの端面ｅｂに接着手段である両面テープＴを介して接続する外接続面２２を備えている。このため、仕切板同士すなわち、一方の仕切板Ａ及び他方の仕切板Ｂ同士が連結される部分であるコーナー部分Ｇの外観を良好なものにできるパーティションＰにおける仕切板の連結構造を提供することができるものとなる。
【００３７】
つまり、ジョイント材Ｊが、第一ベース１と第二ベース２とによって構成されたものであり、横断面視においてＬ字状ないしくの字状をなしている。このため、一方の仕切板Ａ及び他方の仕切板Ｂによって形成されたコーナー部分Ｇを特定の方向から見た場合（この実施形態では、図２におけるＸ方向から見た場合）には、視認され得るジョイント材Ｊは極めて限られたものとなる（図３を参照）。その結果、特定の方向から見た場合には、見る者によって視認され得るほとんどの領域が、一方の仕切板Ａによって占められるものとなるため外観を良好なものとすることができるものとなる。
【００３８】
第二ベース２が、一方の仕切板Ａ側を向く内添接面２１を備えており、この内添接面２１が接着手段である両面テープＴを介在させることなく一方の仕切板Ａの表面である内表面ａ１に添接するようになっている。このため、一方の仕切板Ａがジョイント材Ｊに好適に位置決めされるものとなるだけでなく、一方の仕切板Ａの内表面ａ１と第二ベース２の内添接面２１とを例えば両面テープを介在させて接着した場合に発生し得る気泡の問題をなくすことができる。
【００３９】
つまり、一方の仕切板Ａと第二ベース２とを直接的に添接させている。このようなものであれば、例えば一方の仕切板Ａが透明な場合であっても、使用者が一方の仕切板Ａの外表面ｂ２側から一方の仕切板Ａの内表面ｂ１側のジョイント材Ｊを透視したときに、気泡が視認されることがないため、外観を良好なものとすることができる。
【００４０】
第一ベース１における他側端部に一方の仕切板Ａ側に向かって突出する突部１ｔが形成されている。このため、突部１ｔが、第一ベース１の内面１１に貼り付けられた両面テープＴを外部から見えにくくする隠し機能を担うものとなる。また、突部１ｔが、第一ベース１における内面１１に隣接しているため、第一ベース１の内面１１に両面テープＴを適切に貼るための目印機能を担うものとなる。さらに、突部１ｔが、一方の仕切板Ａの側端部に何らかの部材等が衝突し、破損する事態を好適に抑制し得るものとなっている。
【００４１】
第二ベース２における両側端部に他方の仕切板Ｂ側に向かって突出する突部２ｔが形成されている。このため、突部２ｔが、第二ベースの外接続面２２に貼り付けられた両面テープＴを外部から見えにくくする隠し機能を担うものとなる。また、突部２ｔが、第二ベース２における外接続面２２に隣接しているため、第二ベース２の外接続面２２に両面テープＴを適切に貼るための目印機能を担うものとなる。さらに、突部２ｔが、他方の仕切板Ｂの側端部に何らかの部材等が衝突し、破損する事態を好適に抑制し得るものとなっている。
【００４２】
ジョイント材Ｊが、横断面視において略Ｌ字状をなしている。このため、一方の仕切板Ａ及び他方の仕切板Ｂ同士が連結される部分における外観を良好なものにし得る好適な形態をなしたジョイント材Ｊを提供することができるものとなる。
【００４３】
一方の仕切板Ａが、他方の仕切板Ｂに対して略直交する姿勢を採るものであり、他方の仕切板Ｂにおける長手方向に沿った仮想延長線ｋ上に一方の仕切板Ａの側端部が交わって位置するように、一方の仕切板Ａ及び他方の仕切板Ｂの位置関係が設定されている。このため、一方の仕切板Ａ及び他方の仕切板Ｂの位置関係（いわゆる勝ち負けの関係）による構造的特徴を利用したジョイント材Ｊを提供することができるものとなる。
【００４４】
一方の仕切板Ａ及び他方の仕切板Ｂが合わせガラスである。このため、耐火性に優れるとともに好適な外観を形成し得る一方の仕切板Ａ及び他方の仕切板Ｂを提供し得るものとなる。なお、一方の仕切板Ａ及び他方の仕切板Ｂが合わせガラスの場合に、接着フィルムｆの線が不可避的に表出してしまうことになる端面ｅａ、ｅｂも、ジョイント材Ｊの第一ベース１及び第二ベース２に両面テープＴを介して接着するものとなるため、外部から視認されることはない。
【００４５】
なお、本発明は、以上に詳述した実施形態に限られるものではない。
【００４６】
パーティションは、床面と天井面との間の略全域を隔てる形態のものに限られるものではない。つまり、パーティションは、床面と天井面との間の一部に設けられたものであってもよい。
【００４７】
ジョイント材は、上述した実施形態に示されるものに限定されるものでない。例えば、図７〜９に示すように、ジョイント材Ｊの側端縁や角部の形状は適宜のものを適用することができるのはもちろんのことである。
【００４８】
なお、図７に示す例は、ジョイント材Ｊの側端縁及び角部を、Ｒ加工によって滑らかな曲面ｎ１を有する形態にしたものである。図８に示す例は、ジョイント材の側端縁及び角部を、Ｃ面加工（面取り）によって斜め面ｎ２を有する形態にしたものである。図９に示す例は、ジョイント材の側端縁及び角部を、角張らせた形態にしたものである。
【００４９】
ジョイント材は、一方の仕切板と他方の仕切板とを直交する位置関係で連結させるものには限られない。また、ジョイント材の材質は、適宜のものを適用することができるのはもちろんのことである。
【００５０】
接着手段は、両面テープに限られるものでなく、例えば、液状やゲル状をなす接着剤等であってもよい。
【００５１】
なお、接着手段が両面テープである場合には、その厚み寸法は適宜のものを採用することができる。例えば、図１０に示す例は、上述した実施形態に示したものよりも厚み寸法が大きく設定された両面テープＴを利用したものである。このようなものであれば、一方及び他方の仕切板Ａ、Ｂに寸法誤差があった場合でも、両面テープＴが適切に当該寸法誤差を吸収し得るものとなる。
【００５２】
また、いわゆる二重構造を形成するために、ジョイント材の第一ベース及び第二ベースのそれぞれに二枚の仕切板を接続するように構成してもよい。
【００５３】
ここで、図１１に示すものは、ジョイント材Ｊの第一ベース１に接続された一方の仕切板Ａが所定の間隔ｓｐをあけて略平行に二枚配設されているとともに、ジョイント材Ｊの第二ベース２に接続された他方の仕切板Ｂが所定の間隔ｓｐをあけて略平行に二枚配設されているものを示している。このようなものであれば、一方及び他方の仕切板Ａ、Ｂの二重構造を好適に実現し得るものとなる。
【００５４】
一方及び他方の仕切板は、ガラス板（合わせガラスを含む）に限られるものではない。例えば、一方及び他方の仕切板は、合成樹脂製のものであってもよい。
【００５５】
一方及び他方の仕切板は、透明なものに限られるものではなく、不透明なものであってもよい。なお、「透明」は、無色透明に限られるものではなく、有色透明を含んだ概念である。
【００５６】
その他、各部の具体的構成についても上記実施形態に限られるものではなく、本発明の趣旨を逸脱しない範囲で種々変形が可能である。
【符号の説明】
【００５７】
Ｐ…パーティション
Ａ…一方の仕切板
Ｂ…他方の仕切板
Ｊ…ジョイント材
１…第一ベース
２…第二ベース
Ｔ…両面テープ（接着手段）
【図１】
2018178550.tif 000003
【図２】
2018178550.tif 000004
【図３】
2018178550.tif 000005
【図４】
2018178550.tif 000006
【図５】
2018178550.tif 000007
【図６】
2018178550.tif 000008
【図７】
2018178550.tif 000009
【図８】
2018178550.tif 000010
【図９】
2018178550.tif 000011
【図１０】
2018178550.tif 000012
【図１１】
2018178550.tif 000013